(57)【要約】      （修正有）【課題】装置技術的にも製造技術的にも簡単であるケーブルダクト用接続体を提供する。【解決手段】ケーブルダクト用の５つまたは６つの当付け面２４、２８を有する接続体であって、ケーブルダクトは、実質的に正方形の端面かまたはその半分の大きさの長方形の端面を有する。接続体は、金属からなり、本体１０６及び本体部分２００が組み合わさった本体２０６を有する。本体は、１つまたは２つの正方形の当付け面かまたはその部分を有し、さらに、４つのより小さな実質的に長方形の当付け面を有する。【選択図】図６
2019122258.tif 000002
【特許請求の範囲】
【請求項１】
ケーブルダクト（１；１０１）の端面（１０；１１０）に対する５つまたは６つの平坦な当付け領域が設けられた本体（６；１０６；２０６）を備える接続体であって、
すべての当付け領域は、相互に直角に配置されており、
少なくとも１つの当付け領域は、正方形のケース枠（１１）を有し、
少なくとも２つの当付け領域は、長方形のケース枠（２１）を有し、
前記正方形のケース枠（１１）の各辺の長さは、前記長方形のケース枠（２１）の長辺の長さに対応しており、
前記ケーブルダクト（１；１０１）の前記端面（１０；１１０）は、ねじ締結によって前記接続体に固定可能である、接続体。
【請求項２】
前記本体（１０６）に５つの当付け領域が設けられており、該５つの当付け領域のうちの１つの当付け領域は、より大きな正方形のケース枠（１１）を有し、前記５つの当付け領域のうちの４つの当付け領域は、より小さな長方形のケース枠（２１）を有する、請求項１記載の接続体。
【請求項３】
前記本体（１０６）は、直方体形のケース形状（１１９）を有する、請求項２記載の接続体。
【請求項４】
前記より大きな当付け領域は、環状の当付け面（２２）と、中央の貫通切欠き（２０）とを有し、前記環状の当付け面（２２）は、前記貫通切欠き（２０）を枠状にかつ全周にわたって取り囲んでおり、前記４つの長方形の当付け領域は、それぞれ別の当付け面（２８）を有し、該別の当付け面（２８）の縁部にそれぞれ別の各切欠き（３０）が形成されている、請求項２または３記載の接続体。
【請求項５】
前記本体（６；２０６）に６つの当付け領域が設けられており、該６つの当付け領域のうちの４つの当付け領域は、前記より大きな正方形のケース枠（１１）を有し、前記６つの当付け領域のうちの２つの当付け領域は、前記より小さな長方形のケース枠（２１）を有する、請求項１記載の接続体。
【請求項６】
前記本体（６；２０６）は、立方体形のケース形状（１９）を有する、請求項５記載の接続体。
【請求項７】
前記本体（２０６）は、２つの部分からなる、請求項５または６記載の接続体。
【請求項８】
前記４つのより大きな当付け領域のうちの２つの当付け領域は、それぞれ環状の当付け面（２２）と中央の貫通切欠き（２０）とを有し、前記環状の当付け面（２２）は、前記各貫通切欠き（２０）を枠状にかつ全周にわたって取り囲んでおり、前記４つのより大きな当付け領域のうちの２つの当付け領域は、それぞれ別の当付け面（２４）を有し、該別の当付け面（２４）の縁部に別の各切欠き（２６）が形成されており、２つのより小さな当付け領域は、それぞれ別の当付け面（２８）を有し、該別の当付け面（２８）の縁部にも同様に別の各切欠き（３０）が形成されている、請求項５から７記載の接続体。
【請求項９】
前記本体（６；２０６）に補填部材（８）が装着されており、該補填部材（８）は、１つまたは２つの接続山形材（３８）を有し、該１つまたは２つの接続山形材（３８）は、前記別の当付け面（２４）のうちのそれぞれ１つの別の当付け面を、環状の当付け面を形成するように補完し、対応する前記別の切欠き（２６）を、貫通切欠きを形成するように補完する、請求項８記載の接続体。
【請求項１０】
１つまたは２つの前記中央の貫通切欠き（２０）の縁部は円形であり、前記４つの別の切欠き（２６，３０）の縁部は円弧形である、請求項４または８または９記載の接続体。
【請求項１１】
環状の各当付け面のねじ締結部は、４つの貫通孔（３２）を有し、かつ／または別の各当付け面のねじ締結部は、２つまたは３つの貫通孔（３２）を有する、請求項４記載または請求項８から１０までのいずれか１項記載の接続体。
【請求項１２】
前記貫通孔（３２）は、ねじによって貫通されており、該ねじは、前記ケーブルダクト（１；１０１）に設けられた適合された中空室内に挿入されている、請求項１１記載の接続体。
【請求項１３】
前記縁部に少なくとも１つのエッジ保護部（４２）が設けられている、請求項４記載または請求項８から１２までのいずれか１項記載の接続体。
【請求項１４】
前記エッジ保護部（４２）は、前記縁部に固定可能であるエッジ保護要素（４８）に形成されている、請求項１３記載の接続体。
【請求項１５】
前記エッジ保護部（４２）は、前記補填部材（８）に形成されている、請求項９および１３記載の接続体。
【請求項１６】
少なくとも１つの正方形のカバープレート（１２）を備える、請求項１から１５までのいずれか１項記載の接続体。
【発明の詳細な説明】
【技術分野】
【０００１】
本発明は、請求項１の上位概念部に記載のケーブルダクトまたはケーブルガイド異形材用の接続体（いわゆるノード）に関する。
【０００２】
出願人の２０１７年からの刊行物「Ｍｅｃｈａｎｉｋ−Ｇｒｕｎｄｅｌｅｍｅｎｔｅ  １３．２」（Ｐ３〜４２）には、２つ以上の異形材の端面を接続するために設けられたコーナ山形材および立方体形接続体が開示されている。それにより、例えば枠を形成するトラスを組み合わせることができる。次いで、これらは、別のコンポーネントを固定するために用いられる。ここでは、異形材および対応する接続体も、電気的線路または光導波路を収容するのに適していない。
【０００３】
より広い内部空間を提供し、さらにケーブルダクトとして用いられる異形材も公知である。この内部空間は、電気的線路または光導波路を挿入するために側方が開放可能である。
【０００４】
独国特許出願公開第１０２０１５２０９３２１号明細書および（既に上述した）刊行物「Ｍｅｃｈａｎｉｋ−Ｇｒｕｎｄｅｌｅｍｅｎｔｅ  １３．２」（Ｐ１１〜３）には、内部に電気的ケーブルまたは光導波路を敷設することができる相応の内部空間も同様に提供される、ケーブルダクト用のコーナ接続体もしくはカーブ要素が開示されている。
【０００５】
この種のコーナ接続体もしくはカーブ要素の欠点は、それらが相互に角度をなして配置された２つのケーブルダクトしか接続できず、それらの機械的負荷耐力が限られていることである。
【０００６】
独国特許発明第３３２２１０２号明細書には、ケーブルダクト用のカーブ要素およびＴ字形接続体が示されており、ここでのケーブルダクトは、付加的な配向要素を用いて配向される必要があり、さらに付加的な接合部カバーが設けられている。そのため、これらの接続体は、装置技術的および製造技術的に複雑であり、予め定められた数と配置構成のケーブルダクトに対してのみ使用可能である。
【０００７】
これに対して、本発明の課題は、装置技術的にも製造技術的にも簡単である、ケーブルダクト用の安定した接続体を提供することである。特に接続体が臨機応変に使用可能であり、接続が機械的な負荷に耐えられることが望ましい。
【０００８】
この課題は、請求項１の特徴を有するケーブルダクト用の接続体によって解決される。
【０００９】
本発明の更なる好ましい構成は、従属請求項に記載されている。
【００１０】
請求される接続体は、好ましくはケーブルガイド異形材としてアルミニウム連続鋳造で製造された２つから６つのケーブルダクトの接続のために用いられる。この接続体は、ケーブルダクトの端面に対して、５つまたは６つの平坦な当付け領域が設けられている本体を有し、ここではすべての当付け領域は相互に直角に配置されている。この本体は、好ましくは金属からなり、それゆえ特に安定している。少なくとも１つの当付け領域は、正方形のケース枠を有し、少なくとも２つの当付け領域は長方形のケース枠を有する。正方形のケース枠の辺の長さは、長方形のケース枠の長辺の長さに等しい。本発明による接続体を用いれば、（実施形態に応じて）、最大で５つまたは最大で６つのケーブルダクトを、異なる空間軸において相互に接続することができる。例えば、２つのケーブルダクトだけを相互に接続させるべき場合には、考えられるすべての空間軸が可能である。したがって、接続体は、異なる数のケーブルダクトの接続に対するその複数の当付け領域および異なる方向に配向されたケーブルダクトに対するその複数の当付け領域によって、最大限柔軟に使用することができる。これらのケーブルダクトの端面は、ねじ締結によって当付け領域に固定可能である。したがって、接続体とケーブルダクトとの間で機械的な負荷が可能な接続が形成可能である。
【００１１】
好ましくは、より小さな長方形の当付け領域は、より大きな正方形の当付け領域の半分の大きさである。
【００１２】
１／２ノードとも称される第１の実施形態では、本体は全部で５つの当付け領域を有し、当該５つの当付け領域のうちの１つの当付け領域は、より大きな正方形のケース枠を有し、それに対して、他の４つの当付け領域は、より小さな長方形のケース枠を有する。
【００１３】
本発明による接続体の第１の実施形態の特に可変の使用可能な発展構成では、その本体が、直方体形のケース形状を有する。この第１の実施形態の本体の内部空間は、好ましくは完全に中空であり、これにより、内部に敷設される電気的線路または光導波路のための最大の自由空間が与えられる。
【００１４】
この場合、好ましくは、より大きな当付け領域は、環状の当付け面と、ケーブル用切欠きとして用いられる中央の貫通切欠きとを有する。つまりこの貫通切欠きは、当付け領域に対応付けられている。環状の当付け面は、この貫通切欠きを枠状にかつ全周にわたり取り囲んでいる。４つのより小さな当付け領域は、それぞれ別の当付け面を有し、該当付け面の縁部に別の各切欠きを有する。これは、ケーブル用切欠きの部分として、またはケーブル用切欠きとして用いることができる。つまり、これらの別の切欠きは、各当付け領域に対応付けられる。より大きな当付け領域の環状の当付け面は、外方で、本体の４つのエッジによって画定されており、したがって、正方形の外縁部を有する。４つの別の当付け面は、それぞれ本体の３つのエッジと縁部とによって画定されている。
【００１５】
別の切欠きの縁部の構成が、それぞれ貫通切欠きの縁部の部分の構成に相応する場合、例えばエッジ保護のために好ましい互換性が与えられる。
【００１６】
３／４ノードとも称される第２の実施形態では、本体は、全部で６つの当付け領域を有し、該６つの当付け領域のうちの４つの当付け領域は、より大きな正方形のケース枠を有し、当該６つの当付け領域のうちの２つの当付け領域は、より小さな長方形のケース枠を有する。
【００１７】
本発明による接続体の第２の実施形態の特に可変の使用可能な発展構成では、その本体は、立方体形のケース形状を有する。
【００１８】
第１および第２の実施形態の本体は一体型であってもよい。第２の実施形態の本体の内部空間は、さらに、完全に中空であり、これにより、内部に敷設される電気的線路または光導波路のための最大の自由空間が与えられる。
【００１９】
第２の実施形態の本体が２つの部分からなっている場合、第１の実施形態による本体と補填すべき本体部分とから組み合わされてもよい。それにより、第１の実施形態の本体を、第２の実施形態の本体に対しても補填することができる接続体用の柔軟なモジュラーシステムが提供され得る。この場合、好ましくは、第１の実施形態の本体と補填される本体部分は、本体の内部空間に配置された２つのねじを介して相互に固定される。
【００２０】
好ましくは、４つのより大きな当付け領域のうちの２つは、それぞれ環状の当付け面と、ケーブル用切欠きとして用いられる中央の貫通切欠きとを有する。環状の当付け面は、各貫通切欠きを枠状にかつ全周にわたり取り囲んでいる。４つのより大きな当付け領域のうちの２つは、それぞれ別の当付け面を有し、該別の当付け面の縁部に別の各切欠きが形成されている。２つのより小さな当付け領域も同様に、それぞれ別の当付け面を有し、該別の当付け面の縁部に別の各切欠きが形成されている。これらの４つの別の切欠きは、ケーブル用切欠きとして、またはケーブル用切欠きの部分として用いることができる。より大きな当付け領域の２つの環状の当付け面と、２つの別の当付け面とは、外方で、それぞれ本体の４つのエッジによって画定されている。２つのより小さな当付け領域の２つの別の当付け面は、それぞれ本体の３つのエッジと縁部とによって画定されている。
【００２１】
別の切欠きの縁部の構成が、それぞれ貫通切欠きの縁部の部分に対応する場合には、例えばエッジ保護用の好ましい互換性が与えられる。
【００２２】
第２の実施形態の本体には、１つまたは２つの接続山形材を形成する補填部材が装着されてもよい。このもしくはこれらの接続山形材は、より大きな当付け領域に形成された別の当付け面のうちのそれぞれ１つを、環状の当付け面に対して補填する。したがって、このもしくはこれらの接続山形材は、１つまたは２つの対応する別の切欠きも、それぞれの貫通切欠きに対して補填する。
【００２３】
本発明による接続体の取り付けの際の互換性および柔軟性の理由から、切欠きは好ましくは円形状もしくは円弧形状である。より厳密に言及すれば、本体の第１の実施形態では１つの貫通切欠きの縁部が円形状であり、本体の第２の実施形態では、複数の貫通切欠きの２つの縁部が円形状であり、４つの別の切欠きの縁部は円弧形状である。
【００２４】
ケーブルダクトの端面が、対応するねじ締結手段を有する場合には、これらのケーブルダクトは、ねじ、特にタッピングねじを用いて、接続体の様々な当付け面に固定することができる。これらのねじ締結手段は、孔または適合された中空室であってもよい。この目的のために、環状の各当付け面は４つの貫通孔を有し、かつ／または別の各当付け面は２つまたは３つの貫通孔を有する。より厳密に言及すれば、２つのより大きな別の当付け面は、それぞれ３つの貫通孔を有し、２つのより小さな当付け面は、それぞれ２つの貫通孔を有する。
【００２５】
縁部のうちの少なくとも１つ、好ましくはすべての縁部には、エッジ保護部が、縁部および／または通されたケーブルの保護のために設けられてもよい。
【００２６】
エッジ保護部は、該当する縁部において、例えばクリップ毎に固定可能であるエッジ保護要素に形成されてもよい。
【００２７】
補填部材を有する本体の第２の実施形態では、２つの別の切欠きのために、それぞれエッジ保護部が補填部材にも形成されてもよい。補填部材が本体に装着される場合には、２つのエッジ保護部は２つの別の切欠きに挿入される。
【００２８】
ケーブルダクトの端面が装着されない接続体の当付け領域は、光学的な理由から好ましくは正方形のカバープレートによって覆われる。この目的のために、好ましくは、カバープレートのピンが貫通孔内にクリップされる。正方形のケース枠を有する当付け領域のうちの１つは、足部が固定され得る支持プレートまたはボトムプレートのためにも使用することができる。この保持プレートもしくはボトムプレートは、好ましくはねじ止めされる。この目的のために、当付け面の貫通孔が使用される。
【００２９】
固定すべきケーブルダクトの端面が正方形のケース枠を有し、かつその際五角形である場合には、端面と、（場合によってはその補填要素も含めて）本体の対応する正方形のケース枠との間に、三角形の差面が生じる。基本的に比較可能な方法からは、ボトムプレートと、（場合によってはその補填要素も含めて）本体の対応する正方形のケース枠との間に、三角形の差面が生じ得る。これらの差面は、好ましくは対応する三角形のカバープレートを用いて覆われる。これらの三角形のカバープレートは、好ましくは各小型カバープレートのピンを介して当付け面の貫通孔内にクリップされる。
【００３０】
好ましくは、より大きな正方形のケース枠を有するより大きな当付け領域に、ケーブルダクトが取り付けられ、それらの端面は同じ大きさの正方形のケース枠を有する。好ましくは、長方形のケース枠を有するより小さな当付け領域に、ケーブルダクトが取り付けられ、それらの端面も同様により小さな長方形のケース枠を有する。
【００３１】
本発明による接続体の柔軟な使用可能性の理由から、小さな長方形のケース枠を有する当付け領域に、より大きな正方形のケース枠を有するケーブルダクトの端面を取り付けることも可能であり、さらに、好ましくは、ケーブルダクトは、内部の支持構造体を有し、この支持構造体は、接続体の小さな長方形のケース枠に当接し、それに固定される。
【００３２】
本発明による接続体の柔軟な使用可能性の理由から、大きな正方形のケース枠を有する当付け領域に、より小さな長方形のケース枠を有するケーブルダクトの端面を取り付けることも可能であり、さらに、長方形の差面は、長方形のカバープレートによって覆うことができる。
【００３３】
ケーブルダクト用の本発明による接続体の複数の実施例が図面に示されている。
【図面の簡単な説明】
【００３４】
【図１】３つのケーブルダクトを有する本発明による接続体の第１の実施例の展開図
【図２】図１の接続体の本体の斜視図
【図３】図１の接続体の補填部材の斜視図
【図４】２つのケーブルダクトを有する本発明による接続体の第２の実施例の展開図
【図５】図４の接続体の本体の斜視図
【図６】２つの部分からなる変形例の本体の斜視図
【図７】代替的な補填部材の斜視図
【図８】エッジ保護要素の斜視図
【００３５】
図１は、３つのケーブルダクト１を有する本発明による接続体の第１の実施例を展開図で示している。これらのケーブルダクト１のうちの２つは、接続体のこの用途では、同じ方向で相互に整合して配置されており、一方、第３のケーブルダクト１は、それらに対して垂直に配置されている。各ケーブルダクト１は、アルミニウム押出し成形された異形材で製造されたベースボディ２と、カバー４とを有する。したがって、ベースボディ２ひいてはケーブルダクト１は五角形の断面を有し、この場合、正方形のケース枠を有する。
【００３６】
ケーブルダクト１の端面１０の正方形のケース枠のため、接続体も、対応する複数の正方形のケース枠１１を有する立方体の形状を有する。より厳密に言及すれば、立方体形のケース形状と立方体のエッジとを共に形成している本体６および補填部材８が設けられている。この場合、図１の図平面から見て前方に配向されるエッジは、補填部材８によって完全には形成されない。
【００３７】
したがって、接続体は、６つの平坦な正方形の当付け領域を有しており、図示の実施例の場合、それらのうちの３つの当付け領域に、それぞれケーブルダクト１のベースボディ２の端面１０が固定される。２つの当付け領域には、それぞれ正方形のカバープレート１２が装着される。第６の（図１の下方の）当付け領域には、ボトムプレート１４が固定され、その接続体とは反対側に足部１６が固定される。このボトムプレート１４は、ケーブルダクト１の端面１０の形状に対応する形状を有する。ボトムプレート１４および端面１０は、それぞれ五角形の形状を有し、ここではその大きさが接続体のより大きな正方形の当付け領域の大きさに対応する正方形のケース枠を有する。したがって、端面１０もしくはボトムプレート１４と、接続体の対応する当付け領域との間にそれぞれ三角形の差面が残る。これらの差面は、それぞれ三角形の小型カバープレート１８によって覆われる。
【００３８】
図２は、図１の接続体の本体６を斜視図で示している。この本体６は、既に前述した立方体形のケース形状１９を有する。立方体形のケース形状１９の全部で６つの側面のうちの４つの側面（図２中の上部、下部、左前部および右前部）には、それぞれより大きな正方形のケース枠１１もしくは当付け領域が設けられている。立方体形のケース形状１９の２つの側面（図２中の左後部および右後部）には、それぞれより小さな長方形のケース枠２１もしくは当付け領域が設けられており、それらのうち、図２中では破線の境界のみを見ることができる。
【００３９】
全部で４つのより大きな正方形の当付け領域のうちの２つ（図２中の左前部および右前部）は、それぞれ中央の円形の貫通切欠き２０と、その周りを環状の当付け面２２とを有する。他の２つのより大きな正方形の当付け領域（図２中の上部および下部）は、それぞれ囲繞していない別の当付け面２４と、別の切欠き２６とを有する。２つのより小さな長方形の当付け領域は、図２による図面表示では隠れており、そのため、図６の本体２０６を参照して説明する。そこでは（逆周りさせた図面表示に基づいて）、２つのより小さな長方形の当付け領域がそれぞれ破線の境界線によって認識することができる。これらの当付け領域は、それぞれ別の当付け面２８と、別の切欠き３０とを有する。
【００４０】
再び図２を参照すると、各当付け面２２，２４，２８の４つのコーナ領域のすべてに貫通孔３２が設けられていることが認識できる。これらの貫通孔３２は、当付け領域に設けられたそれぞれの構成部材を固定するために用いられる。これらの貫通孔３２には、例えば、ボトムプレート１４を固定するためのねじ３４、またはカバープレート１２もしくは小型カバープレート１８のピン３６が挿入される。さらにこれらの貫通孔３２は、特に、図には示されていないねじによって貫通され、これらのねじは、ケーブルダクト１のベースボディ２の端面１０にねじ込まれる。
【００４１】
図３は、図１の補填部材８の内側が見られる斜視図で示している。この補填部材８は２つの接続山形材３８を有し、これらの接続山形材３８は、２つの別の当付け面２４（図２中の上部および下部）を、環状の当付け面を形成するように補完し、２つの対応する別の切欠き２６を、中央の貫通切欠きを形成するように補完する。さらに、これらの２つの接続山形材３８は、２つの別の当付け面２８を拡大させ、各当付け面２８に対して第３および第４の貫通孔３２を提供する。
【００４２】
コーナでは、これらの接続山形材３８は、補填部材８の弾性を高めるために溝が付けられている。そこにはまた別の孔４０も設けられており、これらの別の孔４０の大きさ、配置構成および機能は、ほぼ貫通孔３２に相応する。
【００４３】
２つの接続山形材３８は、２つのエッジ保護部４２を介して相互に接続されており、それらは２つのより小さな長方形の（図２中では隠れた）当付け領域の２つの別の切欠き３０に挿入される。そこでは、それらは、通された電気的線路もしくは光導波路（図示せず）の保護のために用いられる。
【００４４】
２つの接続山形材３８と、２つのエッジ保護部４２とを有する補填部材８は、一体型のプラスチック部材として形成されている。
【００４５】
図２による本体６は、その（図２中の後部）領域が解放されており、そのため該当するケーブルダクト１に収容された電気的線路および／または光導波路も問題なく本体６の中央の貫通切欠き２０を通って案内することができる。その後、図３の補填部材８が本体６の対応する領域に挿入された場合でも、そのように形成された接続体には１つの開放エッジが残る。
【００４６】
図４は、本発明による接続体の第２の実施例を示しており、この接続体は、２つの相互に対向している、ここでは相互に整合したケーブルダクト１０１を有する。これらは、図示の実施例では、正方形の端面１１０を有しており、この場合、ベースボディ１０２の内部空間における各カバー１０４に対向している側には、それぞれ支持構造体が設けられている。
【００４７】
図示の接続体は、図示の本体１０６がそれぞれ２つのねじを介してベースボディ１０２の各支持構造体に接続されることによって、ケーブルダクト１０１間の安定した接続を形成する。
【００４８】
図５は、図４の本体１０６を斜視図で示す。この第２の実施形態では、本体１０６は、第１の実施形態の本体１０６に比べて縮小されている。この本体１０６は、直方体形のケース形状１１９と、環状の当付け面２２および中央の貫通切欠き２０（図５の右）を有する１つだけのより大きな正方形の当付け領域とを有している。さらに、この本体１０６は、それぞれ別の当付け面２８および別の切欠き３０を有する４つの（周方向に均等に分散した）より小さな長方形の当付け領域を有している。
【００４９】
図４によれば、環状の当付け面２２に、および４つの別の当付け面２８のうちの２つに、それぞれ１つのカバープレート１２が、それらの各ピン３６を介して固定されている。
【００５０】
２つの残りの当付け面２８には、それぞれのケーブルダクト１０１が、より厳密に言及すれば、ベースボディ１０２のそれぞれの支持構造体が、それぞれ２つのねじ（図示せず）を介して固定されている。
【００５１】
ケーブルダクト１０１の２つのカバー１０４のうちの１つは、接続体の第６の側面を覆うようにもしくは形成するように延長されている。
【００５２】
図６は、図２の本体６の変形例による本体２０６を示している。この変形例では、本体２０６は、２つの部分からなっている。より厳密に言及すれば、図５の第２の実施形態による本体１０６と、補填される本体部分２００とが組み合わされている。この目的のために、本体２０６の内部空間に２つのねじ締結部が設けられている。
【００５３】
図７は、補填部材１０８の変形例を斜視図で示している。これは、２つのエッジ保護部４２と、２つの貫通孔３２および別の孔４０を有する１つだけの接続山形材３８とを有している。この補填部材１０８は、この場合、図２による本体６の第１の実施形態のために、または図６によるその変形例２０６のために設けられている。この補填部材１０８を用いることにより、３つのそれに隣接するエッジ部分を有する接続体のコーナが開放されたままになる。このコーナには、図１によるケーブルダクト１の３つが相互に直接隣接して当該コーナに隣接する３つの当付け領域に配置される場合には、（図示されていない）カバーを挿入することができる。この補填部材１０８を用いることにより、電気的線路もしくは光導波路の挿入が図３の補填部材８よりも簡素化される。
【００５４】
図８は、プラスチックからなるエッジ保護要素４８を斜視図で示しており、これは、図示の本体６；１０６；２０６すべての円形状もしくは円弧形状の切欠き２０，２６，３０内に挿入することができる。このエッジ保護要素４８は、フック状のクランプ突起５０を備えており、これらのクランプ突起５０は、切欠き２０，２６，３０に均等に分散している、ノッチ内にクリップされ得る。エッジ保護要素４８の円弧状の外周面５２は、次いで、実質的にギャップなしで、該当する切欠き２０，２６，３０に接触する。
【００５５】
ケーブルダクト１；１０１用の５つまたは６つの当付け面を有する接続体が開示され、この場合ケーブルダクト１；１０１は、好ましくは実質的に正方形の端面１０；１１０かまたはその半分の大きさの長方形の端面を有する。この接続体は、金属からなる本体６；１０６；２０６を有し、該本体６；１０６；２０６は、１つまたは２つの正方形の当付け面２２かまたはその部分２４を有し、さらに当該本体６；１０６；２０６は、４つのより小さな実質的に長方形の当付け面２８を有する。
【符号の説明】
【００５６】
１；１０１  ケーブルダクト
２；１０２  ベースボディ
４；１０４  カバー
６；１０６；２０６  本体
８；１０８  補填部材
１０；１１０  端面
１１  正方形のケース枠
１２  カバープレート
１４  ボトムプレート
１６  足部
１８  小型カバープレート
１９  立方体形のケース形状
２０  中央の貫通切欠き
２１  長方形のケース枠
２２  環状の当付け面
２４  別の当付け面
２６  別の切欠き
２８  別の当付け面
３０  別の切欠き
３２  貫通孔
３４  ねじ
３６  ピン
３８  接続山形材
４０  別の孔
４２  エッジ保護部
４８  エッジ保護要素
５０  クランプ突起
５２  周面
１１９  直方体形のケース形状
２００  本体部分
【図１】
2019122258.tif 000003
【図２】
2019122258.tif 000004
【図３】
2019122258.tif 000005
【図４】
2019122258.tif 000006
【図５】
2019122258.tif 000007
【図６】
2019122258.tif 000008
【図７】
2019122258.tif 000009
【図８】
2019122258.tif 000010
【外国語明細書】
2019122258.tif 000011
2019122258.tif 000012
2019122258.tif 000013
2019122258.tif 000014
2019122258.tif 000015
2019122258.tif 000016
2019122258.tif 000017
2019122258.tif 000018
2019122258.tif 000019
2019122258.tif 000020
2019122258.tif 000021
2019122258.tif 000022
2019122258.tif 000023
2019122258.tif 000024
2019122258.tif 000025
2019122258.tif 000026
2019122258.tif 000027
2019122258.tif 000028
2019122258.tif 000029
2019122258.tif 000030
2019122258.tif 000031
2019122258.tif 000032